(57)【要約】ＭＩＭＯ動作が可能な通信ネットワークによる変調シンボルの送信と受信を制御する方法とエンティティとが説明される。その送信には、変調シンボルの、夫々が１つ以上のブロック構成設定パラメータの一つのセットに従って構成される区別可能な少なくとも２つのブロックから成るブロック束を生成することと、前記ブロック束の前記区別可能な少なくとも２つのブロック各々の前記変調シンボルを前記変調シンボルの送信のために対応するレイヤ束の区別可能なレイヤに割当てることと、前記変調シンボルを送信することと、前記ブロック束に関し１つ以上のブロック構成設定パラメータの一つのセットだけをシグナリングすることとが関与する。ここで、前記レイヤ束の区別可能なレイヤの数は前記ブロック束におけるブロックの数に等しい。また、その受信には、変調シンボルを再構築するために、上記とは逆の対応する動作が関与する。
2014507088.tif 000002
【特許請求の範囲】
【請求項１】
多入力多出力（ＭＩＭＯ）動作が可能な通信ネットワークによる変調シンボルの送信を制御する方法であって、
変調シンボルの区別可能な少なくとも２つのブロックから成るブロック束を生成する工程（Ｓ１１）と、
前記ブロック束の前記区別可能な少なくとも２つのブロック各々の前記変調シンボルを前記変調シンボルの送信のために対応するレイヤ束の区別可能なレイヤに割当てる工程（Ｓ１２）と、
前記変調シンボルを送信する工程（Ｓ１３）と、
前記ブロック束に関し１つ以上のブロック構成設定パラメータの一つのセットだけをシグナリングする工程（Ｓ１４）とを有し、
前記区別可能な少なくとも２つのブロック各々は、１つ以上のブロック構成設定パラメータの一つのセットに従って構成され、
前記レイヤ束の区別可能なレイヤの数は前記ブロック束におけるブロックの数に等しいことを特徴とする方法。
【請求項２】
それぞれが変調シンボルのｎi個の区別可能なブロックから成るｍ個のブロック束（３５，３６）が生成され（Ｓ１１）、
前記ｍ個のブロック束各々は、各ブロック束の区別可能なブロック各々が１つ以上のブロック構成設定パラメータの一つのセットに従って構成されるようになっており、
ｍは１以上の整数であり、
ｎiはｉ番目のブロック束におけるブロック数を表わす２以上の整数であり、
前記各ブロック束の変調シンボルはｍ個のレイヤ束（３７，３８）の対応する１つに割当てられ、
ｎi個の区別可能なブロックからなる各ブロック束に関し、変調シンボルをトランスポートするｎi個の区別可能なレイヤの内の対応するレイヤ束があるように対応関係があり、
前記レイヤはＭＩＭＯ動作に対してマッピング可能であり、
前記変調シンボルは送信され（Ｓ１３）、
前記ブロック構成設定パラメータの一つのセットだけが前記各ブロック束に関してシグナリングされることを特徴とする請求項１に記載の方法。
【請求項３】
前記通信ネットワークは高速ダウンリンクパケットアクセス（ＨＳＰＤＡ）のために構成されており、
前記変調シンボルの区別可能なブロックはトランスポートブロックであることを特徴とする請求項１又は２に記載の方法。
【請求項４】
前記シグナリングは高速共用制御チャネル（ＨＳ−ＳＣＣＨ）によりなされることを特徴とする請求項３に記載の方法。
【請求項５】
前記変調シンボルの受信器から、ブロック束毎を基本として受信状態を搬送するフィードバック情報を受信する工程をさらに有することを特徴とする請求項１乃至４のいずれか１項に記載の方法。
【請求項６】
前記対応するレイヤ束にブロック束の変調シンボルを割当てることは、前記区別可能なブロックの内の所与の１つに属する変調シンボルの全てが前記区別可能なレイヤの内の対応する１つに割当てられるようなものであることを特徴とする請求項１乃至５のいずれか１項に記載の方法。
【請求項７】
前記対応するレイヤ束にブロック束の変調シンボルを割当てることは、前記区別可能なブロックの内の所与の１つに属する変調シンボルが、レイヤシフト方式に従って前記区別可能なレイヤの複数に割当てられるようなものであることを特徴とする請求項１乃至５のいずれか１項に記載の方法。
【請求項８】
ｍは２に等しいことを特徴とする請求項２乃至７のいずれか１項に記載の方法。
【請求項９】
ｎiはｉの全ての値に対して２に等しいことを特徴とする請求項２乃至８のいずれか１項に記載の方法。
【請求項１０】
多入力多出力（ＭＩＭＯ）動作が可能な通信ネットワークによる変調シンボルの受信を制御する方法であって、
ｍを１以上の整数とし、ｎiをｉ番目のブロック束におけるブロック数を表わす２以上の整数としたときに、変調シンボルをトランスポートするために、それぞれが変調シンボルのｎi個の区別可能なブロックから成るｍ個のブロック束（３５，３６）により、それぞれが変調シンボルの区別可能なｎi個の対応するブロックから成るｍ個のブロック束（４６，４７）に割当てられた変調シンボルを受信する工程（Ｓ２１）と、
前記ｍ個のブロック束各々に関しブロック構成設定パラメータの各１つのセットを受信する工程（Ｓ２２）と、
同じブロック束の各ブロックに関しブロック構成設定パラメータの各同じセットを用いて、各ブロック束の変調シンボルの前記ブロックを再構築する工程（Ｓ２３）と、
前記再構築されたブロックを復調のために受け渡す工程とを有し、
ｎi個の区別可能なブロックから成る各ブロック束に関し、ｎi個の区別可能なレイヤの内の対応するレイヤ束があるように対応関係があることを特徴とする方法。
【請求項１１】
ブロック束毎を基本として受信状態を搬送するフィードバック情報を、前記変調システムの送信者に送信する工程をさらに有することを特徴とする請求項１０に記載の方法。
【請求項１２】
通信ネットワークのプログラム可能なネットワークエンティティにロードされ実行されるときに、請求項１乃至１１のいずれか１項に記載の方法を実行するように構成されたコンピュータコード部を有することを特徴とするコンピュータプログラムの記憶媒体。
【請求項１３】
通信ネットワークのプログラム可能なネットワークエンティティにロードされ実行されるときに、請求項１乃至１１のいずれか１項に記載の方法を実行するように構成されたコンピュータコード部を有することを特徴とするコンピュータプログラム。
【請求項１４】
多入力多出力（ＭＩＭＯ）動作が可能な通信ネットワークにおけるネットワークエンティティであって、
ｍは１以上の整数とし、ｎiはｉ番目のブロック束におけるブロック数を表わす２以上の整数であるとしたとき、それぞれが変調シンボルのｎi個の区別可能なブロックから成るｍ個のブロック束（３５，３６）を、前記ｍ個のブロック束各々は、各ブロック束の区別可能なブロック各々が１つ以上のブロック構成設定パラメータの一つのセットに従って構成されるように生成する生成器（３１）と、
前記ブロック束（３５，３６）各々の変調シンボルを、ｍ個のレイヤ束（３７，３８）の対応する１つに、ｎi個の区別可能なブロックからなる各ブロック束に関し、変調シンボルをトランスポートするｎi個の区別可能なレイヤの内の対応するレイヤ束があるように対応関係があり、前記レイヤがＭＩＭＯ動作に対してマッピング可能であるように割当てを行う割当て器（３２）と、
前記変調シンボルを送信する送信器（３３）と、
前記ブロック束各々に関しブロック構成設定パラメータの一つのセットだけをシグナリングするシグナリング発生器（３４）とを有することを特徴とするネットワークエンティティ。
【請求項１５】
高速ダウンリンクパケットアクセス（ＨＳＰＤＡ）のために構成されている基地局をさらに有し、
前記変調シンボルの区別可能なブロックはトランスポートブロックであることを特徴とする請求項１４に記載のネットワークエンティティ。
【請求項１６】
多入力多出力（ＭＩＭＯ）動作が可能な通信ネットワークにおけるネットワークエンティティであって、
ｍを１以上の整数とし、ｎiをｉ番目のブロック束におけるブロック数を表わす２以上の整数とし、ｎi個の区別可能なブロックからなる各ブロック束に関し、ｎi個の区別可能なレイヤの内の対応するレイヤ束があるように対応関係があるときに、変調シンボルをトランスポートするために、それぞれが変調シンボルのｎi個の区別可能なレイヤから成るｍ個のレイヤ束により、それぞれが対応する数ｎiの変調シンボルの区別可能なブロックからなるｍ個のブロック束に割当てられた変調シンボルを受信するシンボル受信器（４１）と、
前記ｍ個のブロック束各々に関しブロック構成設定パラメータの各１つのセットを受信するシグナリング受信器（４２）と、
同じブロック束の各ブロックに関しブロック構成設定パラメータの各同じセットを用いて、各ブロック束の変調シンボルの前記ブロックを再構築し、前記再構築されたブロックを復調のために受け渡すシンボルプロセッサ（４３）とを有することを特徴とするネットワークエンティティ。
【発明の詳細な説明】
【技術分野】
【０００１】
本発明はＭＩＭＯ動作可能な通信ネットワークによる変調シンボルの送受信を制御する方法とエンティティに関する。
【背景技術】
【０００２】
無線通信システムでは、複数のビットが最初に符号化され、それからＱＰＳＫ（４相位相変調）やＱＡＭ（直交振幅変調）のような変調シンボルを生成する適切な変調方式に従って変調され、１つ以上のアンテナを介して適切にトランスポートされる。変調シンボルを物理アンテナにマッピング可能な複数のトランスポートレイヤにマッピングすることは知られている。複数の区別可能なストリームやレイヤを複数のアンテナに同時にトランスポートする可能性はまた、多入力多出力（ＭＩＭＯ）としても言及される。
【０００３】
マルチストリーム送信或いはＭＩＭＯ技術は高速ダウンリンクパケットアクセス（ＨＳＤＰＡ）とロングタームエボルーション（ＬＴＥ）を採用する通信システムの両方に対して規定されている。ＨＳＰＤＡバージョンのリリース７ではデュアルストリーム技術が標準化されている。一方、ＬＴＥでは最大４ストリームが多重化される。
【０００４】
ＬＴＥとＨＳＰＤＡのために規定されたＭＩＭＯ方式は非常に似通っている。データが最初に符号化され変調され、それから、物理アンテナから送信される前にマトリクス（ベクトル）を用いてプリコーディングされる。ＨＳＤＰＡでは、クローズドループチャネル依存のプリコーディングが採用される一方、ＬＴＥはオープンループプリコーディングとクローズドループプリコーディングの両方に対する送信モードを含む。
【０００５】
両方の技術において、変調シンボルは論理的に区別可能なユニット或いはブロックへとグループ化される。各ユニット或いはブロックは複数のシンボルを搬送する。ＬＴＥにおいてこれらのブロックはコードワードと呼ばれ、ＨＳＤＰＡではこれらはトランスポートブロック（ＴＢ）と呼ばれる。以下の説明では、ブロックという用語は、コードワード或いはＴＢのような複数の変調シンボルの適切な単位に対する一般的な用語として用いられる。
【０００６】
プリコーディング操作を除き、ＬＴＥとＨＳＤＰＡとの間の主要な相違は所謂、ブロックからレイヤへのマッピングである。ＨＳＤＰＡでは、固定的なマッピングが用いられる。デュアルストリーム送信が発生すると、各トランスポートブロック（ＴＢ）はレイヤへとマッピングされる。それ故に、ささいなマッピングがある。これに対して、ＬＴＥではたとえ３或いは４レイヤ送信が発生しても、最大２つのコードワードがスケジュールされる。この場合、１つのコードワードは２つのレイヤへマッピングされる。図８は、ランク３送信として言及される送信での場合を例示している。ここでは、各レイヤ８０２が適切に同じ量のデータを搬送できることを仮定している。要素８１におけるコードワードからレイヤへの（ＣＷ２Ｌ）マッピングの後に、レイヤ８０２が要素８２でプリコーディングされ、４つの送信アンテナから送信される。ここで、コードワード８０１の第２番目が２つのレイヤ８０２にマッピングされる。他の送信モードが用いられる場合のマッピングに関しては、例えば、非特許文献１を参照されたい。
【先行技術文献】
【非特許文献】
【０００７】
【非特許文献１】３ＧＰＰ  ＴＳ  ３６．２１１、発展型全球陸上無線アクセス（Ｅ−ＵＴＲＡ）；物理チャネルと変調（リリース８）
【発明の概要】
【０００８】
本発明の目的は、ＭＩＭＯ動作の効率的な実現のための機構を提供することにある。
【０００９】
本発明を第１の側面から見れば、この目的は、多入力多出力（ＭＩＭＯ）動作が可能な通信ネットワークによる変調シンボルの送信を制御する方法によって達成される。その方法は、変調シンボルの区別可能な少なくとも２つのブロックから成るブロック束を生成する工程を有する。ここで、前記区別可能な少なくとも２つのブロック各々は、１つ以上のブロック構成設定パラメータの一つのセットに従って構成される。前記ブロック束の前記区別可能な少なくとも２つのブロック各々の前記変調シンボルは、前記変調シンボルの送信のために対応するレイヤ束の区別可能なレイヤに割当てられる。ここで、前記レイヤ束の区別可能なレイヤの数は前記ブロック束におけるブロックの数に等しい。前記変調シンボルは送信され、前記ブロック束に関し１つ以上のブロック構成設定パラメータの一つのセットだけをシグナリングする。
【００１０】
本発明を第２の側面から見れば、上記目的は、多入力多出力（ＭＩＭＯ）動作が可能な通信ネットワークによる変調シンボルの受信を制御する方法によって達成される。その方法は、変調シンボルをトランスポートするために、それぞれが変調シンボルのｎi個の区別可能なブロックから成るｍ個のブロック束により、それぞれが変調シンボルのｎi個の区別可能な対応するブロックからなるｍ個のブロック束に割当てられた変調シンボルを受信する工程を有する。ｎi個の区別可能なブロックからなる各ブロック束に関し、ｎi個の区別可能なレイヤの内の対応するレイヤ束があるように対応関係がある。さらに、ｍは１以上の整数であり、ｎiはｉ番目のブロック束におけるブロック数を表わす２以上の整数である。前記ｍ個のブロック束各々に関しブロック構成設定パラメータの各１つのセットが受信される。同じブロック束の各ブロックに関しブロック構成設定パラメータの各同じセットを用いて、各ブロック束の変調シンボルの前記ブロックが再構築され、前記再構築されたブロックが復調のために受け渡される。
【００１１】
本発明を第３の側面から見れば、上記目的は、多入力多出力（ＭＩＭＯ）動作が可能な通信ネットワークにおけるネットワークエンティティにより達成される。そのネットワークエンティティは、それぞれが変調シンボルのｎi個の区別可能なブロックから成るｍ個のブロック束を生成する生成器を有する。ここで、ｍは１以上の整数とし、ｎiはｉ番目のブロック束におけるブロック数を表わす２以上の整数であるとしたとき、前記ｍ個のブロック束各々は、各ブロック束の区別可能なブロック各々が１つ以上のブロック構成設定パラメータの一つのセットに従って構成される。そのネットワークエンティティはさらに、前記ブロック束各々の変調シンボルをｍ個のレイヤ束の対応する１つに割当てを行う割当て器を有する。ｎi個の区別可能なブロックからなる各ブロック束に関し、変調シンボルをトランスポートするｎi個の区別可能なレイヤの内の対応するレイヤ束があるようにする対応関係がある。また、前記レイヤがＭＩＭＯ動作に対してマッピング可能である。そのネットワークエンティティはさらに、前記変調シンボルを送信する送信器と、前記ブロック束各々に関しブロック構成設定パラメータの一つのセットだけをシグナリングするシグナリング発生器とを有する。
【００１２】
本発明を第４の側面から見れば、上記目的は、多入力多出力（ＭＩＭＯ）動作が可能な通信ネットワークにおけるネットワークエンティティにより達成される。そのネットワークエンティティは、それぞれが変調シンボルのｎi個の区別可能な対応するブロックからなるｍ個のブロック束に割当てられた変調シンボルをｍ個のレイヤ束により受信するシンボル受信器を有する。ｍ個のレイヤ束各々は変調シンボルをトランスポートするためにｎi個の区別可能なレイヤから成り、ｍを１以上の整数であり、ｎiはｉ番目のブロック束におけるブロック数を表わす２以上の整数である。また、ｎi個の区別可能なブロックからなる各ブロック束に関し、ｎi個の区別可能なレイヤの内の対応するレイヤ束があるように対応関係がある。そのネットワークエンティティはさらに、前記ｍ個のブロック束各々に関しブロック構成設定パラメータの各１つのセットを受信するシグナリング受信器と、同じブロック束の各ブロックに関しブロック構成設定パラメータの各同じセットを用いて、各ブロック束の変調シンボルの前記ブロックを再構築し、前記再構築されたブロックを復調のために受け渡すシンボルプロセッサとを有する。
【００１３】
上記第１、第２、第３、第４の側面によれば、１つの送信時間間隔（ＴＴＩ）において変調シンボルの区別可能な少なくとも２つのブロックを同時にスケジュールするが、しかし同時に、そのブロック束（そして、それ故にレイヤ束でもある）に属する少なくとも２つのブロック全てが同じものに構成設定されるとき、即ち、ブロック構成設定パラメータの同じセットにより記述されるとき、少なくとも２つのブロックの内の１つの構成設定を記述するシグナリングオーバヘッドだけを生成することが可能である。従って、シグナリングオーバヘッド量を同じだけ拡張することなく、ＭＩＭＯに対するチャネル数を拡張することが可能である。
【００１４】
本発明について添付図面に図示される非限定的な例を参照して詳細に説明する。
【図面の簡単な説明】
【００１５】
【図１】本発明を第１の側面から見た代表的な実施例に従う送信を制御する方法を示すフローチャートである。
【図２】本発明を第２の側面から見た代表的な実施例に従う受信を制御する方法を示すフローチャートである。
【図３】本発明を第３の側面から見た変調シンボルを送信するエンティティの代表的な実施例を示すブロック図である。
【図４】本発明を第４の側面から見た変調シンボルを受信するエンティティの代表的な実施例を示すブロック図である。
【図５】ブロック束を対応するレイヤ束にマッピングする様子を示す図である。
【図６】変調シンボルのブロックを最大４レイヤのレイヤにマッピングする例を模式的に示す図である。
【図７】変調シンボルの複数レイヤへのマッピングに関しレイヤシフト方式を用いる例を模式的に示す図である。
【図８】ＬＴＥにおけるコードワードからレイヤへのマッピングの例を模式的に表現した図である。
【図９】５レイヤが８つのＴＸアンテナにより送信される場合の第１の側面の例を示す図である。
【図１０】３つのブロック束が４レイヤにマッピングされ、６つのＴＸアンテナにプリコーディングされる場合の第１の側面の例を示す図である。
【図１１】最大６レイヤがサポートされる場合のブロック束の例を示す図である。
【発明を実施するための形態】
【００１６】
ここでは、通信ネットワークによる変調シンボルの送信を制御する方法と、通信ネットワークによる変調シンボルの受信を制御する方法と、送信器を含む通信ネットワークにおけるネットワークエンティティと、受信器を含む通信ネットワークにおけるネットワークエンティティとが開示され、これにより、その通信ネットワークはＭＩＭＯ動作が可能である。しかしながら、これらの方法や構成は多様な形で実施されるものであり、ここで説明される実施例に限定されるものとして考えられるべきものではなく、むしろこれらの実施例はこの開示が完ぺきで完全なものであるように備えられるものである。
【００１７】
その方法と構成の実施例のさらに別の特徴や利点は添付図面との関連で考慮される次の詳細な説明から明らかになる。しかしながら、これらの図面は例示の目的のためだけに備えられるものであり、本発明の方法や構成を限定する規定として与えられているものではないことを理解されたい。またさらに、特に明示しない限り、図面は必ずしも正確なスケールで描かれてはおらず、ここで説明する構成や手順を概念的に例示するためだけのものであることが意図されていることを理解されたい。例えば、異なる特徴を好適な適用であるＨＳＤＰＡに適用する言及があるが、その異なる特徴がＭＩＭＯ動作可能などんなシステムの環境下でも適用可能である。
【００１８】
図１は、夫々が変調シンボルの論理的に区別可能なｎi個のブロックから成るｍ個のブロック束を生成するステップＳ１１を含む方法の実施例を示している。ここで、ｍ個のブロック束各々は、各ブロック束の区別可能なブロック各々が１つ以上のブロック構成設定パラメータの一つのセットに従って構成されるようになっている。ｎiとｍとは２以上の整数である。その変調は何らかの適切な或いは所望の方法で実行される。例えば、所望のべき乗数（例えば、２、４、１６、或いは６４など）でのＱＳＰＫ、ＢＰＳＫ、或いはＱＡＭ変調で良い。ブロックの構成とブロックを記述するための対応するパラメータとは、採用される通信システムに関連した何らかの適切或いは所望の方法で選択されても良い。例えば、１つ以上のパラメータのセットは１つ以上のブロックサイズ、変調方式情報、チャネライゼーションコード情報、プリコーディング情報などを含むことができる。ステップＳ１２では、ｍ個のブロック束各々の変調シンボルはｍ個のレイヤ束の対応する１つに割当てられる。各レイヤ束は変調シンボルをトランスポートするｎi個の区別可能なレイヤから成り立っている。レイヤはＭＩＭＯ動作に対してマッピング可能である。区別可能なレイヤに関する例は個々にマッピングを行うためにアドレスされるレイヤである。ステップＳ１３では、変調シンボルは複数のレイヤにより送信される。そして、ステップＳ１４では、ブロック束各々に関するブロック構成設定パラメータのただ１つのセットをシグナリングすることが実行される。
【００１９】
この概念はまた模式的には図５に示されている。Ｂ11からＢn1までのｎ個のブロックの最初の束は、構成設定パラメータのセットＣon1の値により特徴づけられる。即ち、ｎ個のブロック各々は、構成設定パラメータの点からすると同じであり、複数のブロックからなる最初の束は、Ｌ11からＬn1までの複数のレイヤの対応する束にマッピングされる。同じようにして、Ｂ12からＢn2までのｎ個のブロックの２番目の束は、構成設定パラメータのセットＣon2の値により特徴づけられ、Ｌ12からＬn2までの複数のレイヤの対応する束にマッピングされる。そして、このことはｍ番目に至るまでのブロック束各々に対してなされる。その結果、ｍ×ｎ個のブロックが１つのＴＴＩにおいてスケジュールされるが、シグナリングされるｍ個のセットの構成設定パラメータＣon1，Ｃon2，……Ｃonmだけがある。なお、図５に示されたＢkl全ては同じサイズをもつように現れているが、異なる束のブロックは当然に異なるサイズをもっても良い。さらにその上、ｉ番目のブロック束のブロックの数ｎiは、全てのｉに対してｍに等しく、従って、図５に示される模式的な例において全ての束に対して同じであるが、本発明はブロックの各数ｎiが各束に関して同じではない場合も許している。
【００２０】
図２は、変調シンボルをトランスポートするために、それぞれが変調シンボルのｎi個の区別可能なレイヤから成るｍ個のレイヤ束により、それぞれがｎi個の変調シンボルの区別可能なブロックからなるｍ個のブロック束に割当てられた変調シンボルを受信するステップＳ２１を含む変調シンボルの受信を制御する対応する方法を示している。ステップＳ２２では、前記ｍ個のブロック束各々に関しブロック構成設定パラメータの各１つのセットが受信される。ステップＳ２３では、前記ブロック構成設定パラメータを用いて、変調シンボルのブロックが再構築され、復調のために受け渡される。
【００２１】
図３は本発明を実施する通信ネットワークにおけるエンティティのブロック図を示している。なお、ネットワークエンティティはネットワークの物理的なユニット、例えば、ノードのようなものであっても良いし、或いは、複数のそのような物理的なユニットに分散されていても良い。一般的に、そのエンティティは、それぞれが変調シンボルのｎi個の区別可能なブロックから成るｍ個のブロック束を、生成する生成器３１を有する。この例では、２つのブロック束があり、各々が２つのブロック３５１、３５２と３６１、３６２を有している。ｍ個のブロック束各々は、各ブロック束の区別可能なブロック各々が１つ以上のブロック構成設定パラメータの一つのセットに従って構成されるようなっており、ｍは１以上の整数であり、ｎiはｉ番目のブロック束におけるブロックの数を表わす２以上の整数である。また、割当て器３２が備えられ、前記ブロック束３５，３６各々の変調シンボルを、図示の例において３７、３８として示されているように、ｍ個のレイヤ束の対応する１つに割当てを行う。各レイヤ束は、変調シンボルをトランスポートするｎi個の区別可能なレイヤから成っており、そのレイヤはＭＩＭＯ動作に対してマッピング可能である。また、送信器３３が備えられ、前記変調シンボルを送信するとともに、シグナリング発生器３４も備えられ、ブロック束各々に関しブロック構成設定パラメータの一つのセットだけをシグナリングする。この例において、Ｃｏｎｆ（３７）はレイヤ束３７によりトランスポートされる複数のシンボルから成る１つのブロックの構成設定を記述しており、Ｃｏｎｆ（３８）はレイヤ束３８によりトランスポートされる複数のシンボルから成る１つのブロックの構成設定を記述している。２つのブロック３６１、３６２は構成上同一（例えば、同一サイズ）なので、一つのブロックに対する１つのパラメータセットは両者を記述するのに十分である。それはちょうど、１つのブロックに対する１つのパラメータセットが２つのブロック３５１、３５２を特徴づけるのに十分であるのと同じである。
【００２２】
従って、Σi=1mｎiのブロックは送信されるが（図示の例では、２＋２）、Σi=1mｎiのブロックに関して構成設定情報をシグナリングする必要はなく、ただｍ個のブロックに対してシグナリングする必要があるだけである。
【００２３】
図４は受信側の対応するエンティティを示している。そのエンティティは、ｍを１以上の整数とし、ｎiをｉ番目のブロック束におけるブロックの数を表わす２以上の整数としたときに、変調シンボルをトランスポートするために、それぞれが変調シンボルのｎi個の区別可能なレイヤから成るｍ個のレイヤ束により、それぞれが変調シンボルのｎi個の区別可能な対応するブロック（図示の例では２）からなるｍ個のブロック束４４，４５に割当てられた変調シンボルを受信するシンボル受信器４１と、前記ｍ個のブロック束各々に関しブロック構成設定パラメータの各１つのセットを受信するシグナリング受信器４２と、前記ブロック構成設定パラメータを用いて変調シンボルの前記ブロック４６、４７を再構築し、前記再構築されたブロック４６、４７を復調のために受け渡すシンボルプロセッサ４３とを有する。
【００２４】
説明された方法はまた、通信ネットワークのプログラム可能なネットワークエンティティにロードされ実行されるときに上述の方法を実行するために構成されるコンピュータプログラムを有するコンピュータプログラム製品として、或いは、通信ネットワークのプログラム可能なネットワークエンティティにロードされ実行されるときに上述の方法を実行するために構成されるコンピュータコード部を有するコンピュータプログラムとして実施することができる。なお、この関連で、図３と図４のエンティティはハードウェアとソフトウェアの混合体として、例えば、説明した要素３１〜３４或いは４１〜４３がハードウェア、ソフトウェア、或いは、それらの適切な組み合わせとして備えられるようにして実施される。例えば、それらの要素は、１つ以上のネットワークノードにおいて１つ以上のプログラム可能なプロセッサで実行されるように設計されたコンピュータプログラムの個別的なプログラムコード部であっても良い。
【００２５】
上述のことに従って、多入力多出力（ＭＩＭＯ）動作が可能な通信ネットワークによる変調シンボルの送信を制御する方法が備えられる。それは、それぞれが変調シンボルのｎi個の区別可能なブロックから成るｍ個のブロック束を生成する工程を有し、前記ｍ個のブロック束各々は、各ブロック束の区別可能なブロック各々が１つ以上のブロック構成設定パラメータの一つのセットに従って構成されるようになっており、ｍは１以上の整数であり、ｎiはｉ番目のブロック束におけるブロック数を表わす２以上の整数である。それから、前記各ブロック束の変調シンボルはｍ個のレイヤ束の対応する１つに割当てられる。ｎi個の区別可能なブロックからなる各ブロック束に関し、変調シンボルをトランスポートするｎi個の区別可能なレイヤの内の対応するレイヤ束があるように対応関係がある。そのレイヤはＭＩＭＯ動作に対してマッピング可能である。その変調シンボルは送信され、受信器にトランスポートされるブロックの構成設定を通知するために、前記ブロック束各々に関しブロック構成設定パラメータの一つのセットだけをシグナリングする。その結果、受信器は適切にそのブロックを再構築し、それから変調シンボルを復調のために受け渡すことができる。
【００２６】
上述した概念のため、１つの送信時間間隔（ＴＴＩ）でシンボルのΣi=1mｎiの数のブロックを同時にスケジュールすることが可能であるが、同時には、複数のブロック束（それ故に複数のレイヤ束）の１つに属する複数のブロックの全てが同じに構成され、即ち、ブロック構成設定パラメータの同じセットにより記述されるので、ｍ個のブロックの構成設定を記述するシグナリングオーバヘッドだけを生成する。従って、シグナリングオーバヘッドの量を同じ程度に拡張することなく、ＭＩＭＯのためにチャネル数を拡張することが可能である。さらにその上、ＭＩＭＯチャネル数の観点から現存するシステムを拡張するとき、同時にスケジュールされる多くの個々のブロックを記述するのに設計された現存するシグナリング方式を保持し、各束が複数のブロック或いはレイヤを搬送する、同数の束を記述するためのシグナリング方式を用いることができる。従って、もしあったとしてもシグナリング方式において多くの調整を行う必要がないという付加的な利点も提供している。
【００２７】
４つのブロックを同時に４つのレイヤ（そして、結果として４つのアンテナ）にマッピングする例について考慮すると、本願発明の概念から得られる次の更なる利点が識別される。１つのアプローチはＴＢの現在のＨＳＤＰＡの直接マッピングを拡張することであるかもしれない。この場合、４つのＴＢは各ＴＴＩに送信される。そのような解決策がもつ欠点は関係するオーバヘッドにある。ＤＬ制御シグナリングは、４つのＴＢ全てに関する送信パラメータ（例えば、符号化と変調方式、ＴＢサイズ……等）を含むことが必要である。同様に、ＵＬ（アップリンク）制御は、４つのＴＢ全てに関するＨＡＲＱ（ハイブリッド自動繰り返し要求）の情報を含むことが必要である。この場合、２つのＴＢの最大値だけが各ＴＴＩに送信される。この場合、公知のＨＳＤＰＡ、ＭＩＭＯ方式からのＤＬ（ダウンリンク）シグナリングは、それが最大で２つのＴＢに関する情報を組み込んでいるために再利用される。また、ＵＬ制御シグナリングは現在の方式も２つのＴＢをサポートしているために簡略化される。しかしながら、その欠点は新しいＴＢサイズが定義される必要があるという点である。ＴＢが２つのレイヤにマッピングされるので、その最大サイズは今日定義されているものの２倍となろう。これはＴＢサイズのシグナリングに影響を与え、同じ数のトランスポートブロックサイズが存在するために現在のＴＢサイズテーブルの再定義が必要であるが、より粗い密度になろう。しかしながら、現在のチャネル条件にマッチングする適切なＴＢサイズを定義することはより難しいことであるので、これは性能をより悪化させるものとなろう。
【００２８】
上位レイヤにも大きなインパクトがあるだろう。もし、最大のＴＢが現在選択されるものの２倍であるなら、上位レイヤの多くのパラメータが再定義される必要があり、従って、拡張された概念のＭＩＭＯを導入することに問題を引き起こすことになる。
【００２９】
説明した解決策は上述したリストにある欠点を低減するが、例えば、現在のＨＳＤＰＡ  ＭＩＭＯを用いたシステムのような現在のシステムに対しても既に定義したシグナリングチャネルを再利用することができる。それ故に、各ＴＴＩにおいて２つのＴＢだけにスケジュールされたシグナリングを行い続けることができる。従って、既に定義されたシグナリングの多くは再利用できる。これに対して、上位レイヤで必要とされる変更を最小化するために、ＴＢの最大サイズは既に定義されたものと同じに維持することができる。従って、本発明の基本は従って、“トランスポートブロックを束ねる”こととして言及される。概念的に、これは２つ（或いはそれ以上）のＴＢが“新しい”ユニットとしていっしょに束ねられるかのように理解することができる。なお、２つのブロックから成る１つの束の生成と送信とは既に、従来のＨＳＤＰＡ  ＭＩＭＯ方式をしのぐ利点を達成している。即ち、そのようなブロック束を採用することにより、ＴＴＩの間に、例えば、３つのブロック（そのブロック束と１つの単一ブロック）を送信することが可能になる一方、２つのブロックに対するシグナリングをスケジュールしなければならないだけである。これを比較すると、従来のＨＳＤＰＡ  ＭＩＭＯ方式も２つのブロックに対するスケジューリングを必要とするが、これはＴＴＩの間に２つのブロックを達成するだけである。
【００３０】
次に、４つのレイヤのＭＩＭＯ方式、上述していないが、同様に高次のＭＩＭＯに対しても適用可能な一般的な方式に対する方式について説明する。ここで概説した利点を達成するために、そのような新しいユニット或いはコードワード（ＣＷ）は単一レイヤの場合には１つのＴＢから成り立っている一方で、２つのレイヤにマッピングされるときには、ＣＷは２つのサイズが等しいＴＢから成り立っていることを考慮することができる。シグナリングされる全てのパラメータは再利用することができ、例えば、変調及び符号化方式がシグナリングされるとき、これがコードワード毎に、或いは、より具体的には束毎に実行される。それから、定義によって、これがそのコードワードの両方のＴＢに対して適用される。
【００３１】
同様に、これがそのコードワードに関係する１つのＴＢのサイズを示すＴＢサイズがあれば、定義により、他のＴＢ（もし存在するなら）は同じサイズをもつ。また、受信者から送信者へのフィードバックシグナリングの場合、例えば、ＨＡＲＱシグナリングの場合には、パラメータ（例えば、ＡＣＫ／ＮＡＣＫとプロセス番号）はＣＷ毎に（即ち、束毎に）示され、これが、例えば、所与のＣＷに関係する両方のＴＢが喪失した（ＮＡＣＫがシグナリングされる）ことを意味する。
【００３２】
従って、一般には、図２の方法と図４のエンティティとは好適には、前記変調シンボルの送信者に対して送信されるフィードバック情報の送信が、レイヤ束毎を基本とする受信状態を搬送するようなものである。このようにして、逆のシグナリングもまた、Σi=1mｎi個のブロックのトランスポートがあるにも係らず、ｍ個の独立した情報だけに低減される。
【００３３】
さらにその上、図１の方法と図３のエンティティとは好適には、変調シンボルの受信者からのフィードバック情報が受信され、ブロック束毎を基本として受信状態を搬送するようなものである。さて、ＨＳＤＰＡにおいて知られた制御チャネルがＴＢを束にすることを用いて４レイヤＭＩＭＯ方式に対してどのように再利用されるのかについての例をより詳細に説明する。シグナリングは高速共有制御チャネル（ＨＳ−ＳＣＣＨ）で実行される。ダウンリンクでのＭＩＭＯデータを復号化するために端末により利用可能なパラメータは、例えば、ＨＳ−ＳＣＣＨ  タイプ３によりシグナリングされる。この点について詳細は、例えば、３ＧＰＰ  ＴＳ  ２５．２１２，多重化とチャネル符号化（ＦＤＤ）（リリース７）を参照されたい。ＨＳ−ＳＣＣＨ  タイプ３は、次の情報フィールドを含んでいる。即ち、
・チャネライゼーションコードセット
・変調方式とトランスポートブロック数（ＭＣＳ）
・プリコーディング情報（ＰＣＩ）
・トランスポートブロックサイズ（プライマリＴＢ）
・トランスポートブロックサイズ（セカンダリＴＢ）（デュアルストリーム用のみ）
・ＨＡＲＱ処理情報
・冗長バージョン（プライマリＴＢ）
・冗長バージョン（セカンダリＴＢ）（デュアルストリーム用のみ）
・ＵＥアイデンティティ
である。
【００３４】
２つのＴＢが１つのエンティティ（ここでは説明を簡単にするためにコードワードと呼ばれる）にマッピングされる、即ち、１つの束に割当てられるというＴＢを束にするという方法を用いて、もし２つのＴＢが同じであるなら上述のものは再利用できることを理解することができる。影響を受けるパラメータはＭＣＳとＰＣＩのみであろう。そのとき、ＭＣＳは各コードワードに対する変調を示すことができる（１つのＣＷに属する両方のＴＢは同じ変調方式をもつ）。
【００３５】
フィードバックは高速専用物理チャネル（ＨＳ−ＤＰＣＣＨ）を介して送信される。ＨＳ−ＤＰＣＣＨはＵＥからノードＢへとのフィードバックを含んでいる。ＭＩＭＯの場合、ＨＳ−ＤＰＣＣＨは、単一ストリーム送信或いはデュアルストリーム送信に関して、ＨＡＲＱ情報とともにＣＱＩ／ＰＣＩ情報を搬送する。ＴＢを束ねることを用いて、ＭＩＭＯのＨＳ−ＤＰＣＣＨは、例えば、次の規則、即ち、ＨＡＲＱ−ＡＣＫシグナリングは束ねられたＴＢに適用され、ＣＱＩ／ＰＣＩ情報はＴＢ毎の代わりに束ねられたＴＢ（コードワード）に関係することが適用されるなら、変形されることなく再利用される。
【００３６】
ブロック束におけるブロックの数ｎiそれぞれが全てのｉについてｎに等しく、従って、各ブロック束について同じであるという場合については、また図３のネットワークエンティティと図１の方法とが備えられ、その生成器がそれぞれが変調シンボルのｋ個の区別可能なブロックから成り立っているｌ個のブロック束を生成するように構成されている。ここで、０≦ｌ≦ｍ、及び、０≦ｋ≦ｎであり、そして、割当て器が前記ｌ個のブロック束各々の変調シンボルをｌ個のレイヤ束の対応する１つに割当てるように構成される。言い換えると、そのエンティティはさらに、全数ｍよりも少ない個数のブロック束を対応するレイヤ束に提供しマッピングすることができる。さらにその上、そのネットワークエンティティと方法とは、前記ｋ個の区別可能なブロックの所与の１つに属する変調シンボルの全てが各レイヤ束のｋ個の区別可能なレイヤの対応する１つに割当てられるようにして、割当て器がｌ個のブロック束各々の変調シンボルを前記ｌ個のレイヤ束の対応する１つに割当てるように構成されるようなものである。
【００３７】
０≦ｋ≦ｎであるブロックの０≦ｌ≦ｍである束を可変的に送信することができる場合に、受信器はさらにあいまいさをなくすための情報をさらに望むことができる。図６は、異なる、所謂、ランクに対して存在する異なる代替案を示している。ＵＥ（ユーザ機器）はランク−２、ランク−３、ランク−４の間を区別できず、同様に、ＭＣＳ情報だけを用いては（ＣＷが２つのＴＢから成り立っている場合）ランク−１とランク−２とを分離できないように見える。もしＭＣＳが２つの異なる変調を示しているなら、これがランク−２の送信を示しているのか、ランク−４の送信を示しているのかが依然として不明瞭である。これを解決するために、このポイントをアドレスする具体的なシグナリング情報を導入することが好ましい。例えば、３ビットの専用情報が用いられて図６の場合を区別すると良い。しかしながら、公知のＨＳＤＰＡのような現存システムに適合させる場合、新しい目的のために現存するシグナリングビットを割当てることも可能である。例えば、ＰＣＩビットが用いられて送信ランクを示すようにできる。もし、パイロット信号がデータと同じマトリクスでプリコーディングされるなら、ＵＥはとにかくこの情報を必要としない。
【００３８】
この説明のこれまでの部分は主として４つの送信（Ｔｘ）アンテナをもつ場合に焦点を当てていたが、その思想は任意の数のＴｘブランチ或いはレイヤにも一般化して適用可能である。次に、いくかの例を示すが、これはより多くのＴｘアンテナをもつシステムに適用される場合である。
【００３９】
１つの例では、本発明は８つのＴｘアンテナ、例えば、８×８ＭＩＭＯの場合に適用される。次に、２つのＴＢの束が複数のレイヤにマッピングされ、８つのＴｘブランチ全てについてプリコーダを介して送信されるときの例について説明する。
【００４０】
これは、最大２つのＴＢが今日用いられているので、現在のＨＳＰＡ標準にフィットするものである。
【００４１】
開示される特徴は、アップリンクとダウンリンクの両方の送信に対して採用される。ＭＩＭＯアップリンク送信に関して、１つのブロック束の生成と送信とが好適な実施例である。このようにして、ＨＳＤＰＡの例における現在のシグナリングの多くが保持される。
【００４２】
図９に示す例は、８個のＴｘアンテナの例を考慮している。２つのＴＢの束９０１（ここでは、コードワードＣＷとして言及される）が構成要素９１により５つのレイヤ９０２にマッピングされる。それらのレイヤはそれからプリコーディング要素９２によりプリコーディングされ、８個のＴｘアンテナにより送信される。最初のＴＢの束は２つのＴＢから成り立っている一方、第２番目の束は３つのＴＢから成り立っている。図１０にはさらに別の例が示されている。それは、３つのＴＢの束１００１が４つのレイヤに構成要素１０１によりマッピングされ、プリコーディング要素１０２によりプリコーディングされ、６個のＴｘアンテナにより送信される。この特別な例では、ランク−４の送信が発生する。即ち、ＴＢの束１００１がプリコーディングの前に４つのレイヤにマッピングされる。
【００４３】
上記の例から分かるように、本発明の概念は任意の数のコードワードとレイヤとをサポートする任意の数のＴｘアンテナに適用可能である。なお、第２番目の例はまた、２つのコードワードのシステム最大値に対して（或いは、この場合にはＴＢの束に対して）実施することが可能である。この場合、各束は２つのコードワードから成り立っているか、或いは、１つのコードワードが３つのＴＢの束である一方、第２番目のコードワードは一つのＴＢから成り立っているであろう。
【００４４】
図１１では、６個のＴｘアンテナを備えた例が示されており、その例では最大６つのレイヤが送信される。またさらに、例えば、ＨＳＤＰＡのシグナリングに合うように２つのＣＷの最大値が生成されることが仮定される。
【００４５】
なお、“ＣＷ２レイヤ”マッピング装置が図１１には示されていない。異なるマッピングをシグナリングするために、付加的なシグナリングビットが用いられると良い。一般には、付加的なシグナリングの量を最小化することが望ましい。これを達成するために、（１２個のあり得るマッピングの内）一定のマッピングが、例えば、標準化技術では規則によって無効にされる。例えば、複数のレイヤが品質の点で順序付けられているので、ランク−５に対しては下位のマッピングだけが許可される。従って、第１番目のＣＷ（或いは束）は第２番目のＣＷより多くの（或いは、同量の）ＴＢを常に含むべきである。同様に、任意の奇数レイヤ（即ち、レイヤ３、レイヤ５）に対するオプションの数は低減される。また、偶数レイヤの場合には、複数の束の間でＴＢの等しい分配だけが許され、それ故に、ランク−４に対しては最初のオプションだけが妥当なものである。
【００４６】
開示された特徴に加えて、複数のブロック束の生成と送信とに加え、１つ以上の単一のブロックを生成して送信することも可能である。これは、ＴＴＩの間に送信されることになる全てのブロックがブロック束に属する必要は必ずしもないということを意味する。例えば、ＴＴＩの間に３つのブロックが送信されることになるなら、２つのブロックを含む１つのブロック束とともに１つの単一ブロックが生成される。そのとき、対応する複数のレイヤに対する複数のブロックのマッピングは３つのブロックに対して実行される。最後に、送信に関しては、２つのセットの構成設定パラメータだけがシグナリングされる必要がある。１つのセットはブロック束に対するものであり、もう１つのセットは単一のブロックに対するものである。
【００４７】
なお、この点に関して、ＴＴＩの間における複数の単一ブロックの付加的な生成と送信とに係らず、請求の範囲の独立請求項の主題に従ってブロック束が生成され送信されるなら、本発明の実施例は実現される。
【００４８】
変調シンボルを複数のレイヤ束に割当てることは所望の適切な方法で実行されると良い。例えば、複数のブロック束各々の変調シンボルを複数のレイヤ束の内の対応する１つに割当てることは、前記区別可能な複数のブロックの内の所与のものに属する変調シンボルの全てが区別可能な複数のレイヤの内の対応する１つに割当てられるようなものである。言い換えると、１つの全ブロックが、束の各ブロックが（ＴＴＩ毎に）１つの対応するレイヤによって送信されるようにして１つの関連するレイヤに割当てられるのである。
【００４９】
これに対して、前記複数のブロック束各々の変調シンボルを前記複数のレイヤ束の対応する１つに割当てることを、区別可能な複数のブロックの所与の１つに属する変調シンボルがレイヤシフト方式に従って区別可能な複数のレイヤに割当てられるように実行することも可能である。次にこのことについて詳細に説明する。ＷＣＤＭＡ標準化技術のリリース７により導入された現在のＨＳＤＰＡ  ＭＩＭＯ方式は２つのストリーム（或いはレイヤ）に制約され、２つの送信アンテナから送信される。なお、リリース７では、サポートされる最大変調フォーマットは１６ＱＡＭに設定され、より新しいリリースで２つの６４ＱＡＭ変調ストリームを送信するサポートが導入された。しかしながら、このためのシグナリングは既にリリース７で導入されている。このことは、最大２つの同時トランスポートブロックに対する送信パラメータのシグナリングを全てのプロトコルがサポートしていることを意味する。また、現在のＨＳＤＰＡ  ＭＩＭＯ方式は複数のトランスポートブロックの複数のレイヤへの直接マッピングを備えている。即ち、２レイヤ（ランク−２）送信に関し、１つのトランスポートブロックは１つのレイヤに夫々マッピングされる。これは、最大で２つのトランスポートブロックが３或いは４レイヤ送信の場合でさえも送信されるＬＴＥにおけるマッピングとは対照的なものである。この場合、１トランスポートブロックは１つ或いは２つのレイヤにマッピングされる。そのマッピング規則は固定され、３ＧＰＰ  ＴＳ３６．２１１に説明されている。
【００５０】
１つのブロックの全てのシンボルが対応するレイヤにマッピングされるというトランスポートブロックを束ねることに関する１つの問題は、最適な方法でチャネル容量を利用できないかもしれないという点にある。各レイヤが異なる品質（即ち、信号対雑音比：ＳＮＲ）をもち、それ故に、異なる情報データ速度をサポートできると仮定するのは理にかなったことである。しかしながら、束を作ることは、１つのペアにおける両方のトランスポートブロックが同じパラメータ、例えば、変調次数、符号化速度、情報ビット数などをもつことを意味する。エラーのもっともな発生確率を保証するために、システムは情報速度を最低のＳＮＲをもつレイヤに適合させる必要がある。このことはより良質なレイヤの容量が十分に用いられないことを意味する。上記問題を克服するために、２つのレイヤが同じ品質（少なくとも平均という意味で）をもつなら、有益であろう。これにより、同じパラメータ（例えば、ＭＣＳ）は両方のレイヤにフィットするであろう。
【００５１】
各レイヤの品質は、無線チャネルの高速フェージング、アンテナ相関、他のセルからの干渉などの物理パラメータにより決定される。送信器は情報ビット（或いは、変調されたシンボル）とレイヤとの間のマッピングを制御できる。それで、レイヤ品質が均一ではないという問題を解決すために、レイヤシフト（或いはレイヤ置換）を用いることが可能である。
【００５２】
ＨＳＤＰＡでは、２ミリ秒の各送信時間間隔（ＴＴＩ）は夫々が２５６０チップをもつ３つのスロットから成り立っている。ＨＳＤＰＡで用いられる拡散ファクタは固定（ＳＦ＝１６）であり、その速度は一定のユーザにスケジュールされたそのようなコードの数によって決定される。最大で１５個のコードが１つのユーザに対してスケジュールされる（１つのコードはパイロットと制御チャネルのためにリザーブされる）。１つのスロットは２５６０／１６＝１６０シンボルを含み、従って、１つの拡散コードは１ＴＴＩの期間中に３＊１６０＝４８０シンボルを含む。
【００５３】
各トランスポートブロックは数多くのシンボルから成り立っている（ＱＰＳＫ，１６ＱＡＭ，或いは、６４ＱＡＭ）。通常、各トランスポートブロックとそれ故に対応するシンボルとは一定のレイヤにマッピングされ、これにより、１つのレイヤにおける全てのシンボルは適切に同じチャネル品質を経験することになるであろう。その代わりに、最初のトランスポートブロック７１において各２番目のシンボルをレイヤ１（７３）にマッピングし、第２番目のトランスポートブロック７２に対して逆のことを行うなら、最初のトランスポートブロック７１におけるシンボルの半分はレイヤ１（７３）の品質を経験することになる一方、他の半分はレイヤ２（７４）のチャネルを経験することになるであろう。例えば、ブロック７１から来るシンボル７１１、７１２と、ブロック７２から来るシンボル７２１、７２２を参照されたい。これにより、２つのストリームの平均の品質がおおよそ同じになるであろう。なお、それらのビットはインタリーブされ、それ故に、シンボルの変化する品質はうまく分離されたビットにヒットし、それ故に、デコーダはこれを訂正することができる。レイヤシフト（或いは置換）は図７に示されており、そこではブランクのシンボルとハッチングされたシンボルとはレイヤにマッピングされる前にシフトされる。
【００５４】
示されたレイヤシフト或いはマッピング方式は一例に過ぎない。他のマッピングも可能である。例えば、ｘ個のシンボルがレイヤ１にマッピングされる一方、次のｘ個のシンボルがレイヤ２にマッピングされる。ここで、ｘは２以上の整数である。事実、ｘ＞＞１を用いることにはいくつかの利点がある。性能の観点からすれば、ｘ＝１であれば、レイヤ間の最大類似性が得られると主張できるかもしれない。しかしながら、これは受信器をより複雑にするものともなる。連続する干渉キャンセレーション（ＳＩＣ）に基づくより進歩した受信器にとって、これは最も目立つ点である。そのような受信器において、最初のストリームが検出され、それから第２番目のストリームにおけるその影響がキャンセルされる。それ故に、第２番目のストリームの品質は向上し、より多くのビットが所与のＳＮＲで送信できる。レイヤシフトが導入されると、受信器は、例えば、最初のレイヤだけでなく第２のレイヤに対しても、最初のシンボルストリーム（トランスポートブロック）を検出する際に、受信器重みを計算する必要があることに気づかれるかもしれない。レイヤシフトが用いられない場合には、最初のレイヤに対応する重みだけが必要とされる。
【００５５】
通常、受信器は物理チャネルが数多くのシンボルに対して安定的であることを仮定している。従って、その受信器（例えば、ＭＭＳＥ）の重みは一定の数のシンボルに対して再利用される。もし、ある受信器が大きな数（例えば、ｘ＞１０）のシンボルのセットのレイヤシフトを選択するなら、複雑さが増すことも許容範囲内であろう。ＨＳＰＤＡから取られた数を用いるなら、つまり、ｘ＝１０又はｘ＝１６は可能な選択肢である。このことは、スロット当り１６又は１０の置換率を意味するであろう。トランスポートブロック束と関連してレベルシフト（置換）を用いる利点は、束の個々のブロックが（平均としては）類似のチャネル品質を経験することにある。これにより、同じ送信パラメータを束全てのブロックに割当てることがより容易になる。また、束を作成することによりもたらされる容量の損失が最小化される。
【００５６】
本発明を好適な実施例を参照して説明したが、これらは例示としての役割を果たすに過ぎず本発明の範囲を限定するものではない。本発明の範囲は添付の請求の範囲によって規定されるものである。
【図１】
2014507088.tif 000003
【図２】
2014507088.tif 000004
【図３】
2014507088.tif 000005
【図４】
2014507088.tif 000006
【図５】
2014507088.tif 000007
【図６】
2014507088.tif 000008
【図７】
2014507088.tif 000009
【図８】
2014507088.tif 000010
【図９】
2014507088.tif 000011
【図１０】
2014507088.tif 000012
【図１１】
2014507088.tif 000013
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
多入力多出力（ＭＩＭＯ）動作が可能な通信ネットワークによる変調シンボルの送信を制御する方法であって、
それぞれが変調シンボルのｎi個の区別可能なブロックから成るｍ個のブロック束（３５，３６）であって、前記ｍ個のブロック束各々は、各ブロック束の区別可能なブロック各々が１つ以上のブロック構成設定パラメータの一つのセットに従って構成されるようになっており、ｍは２以上の整数であり、ｎiはｉ番目のブロック束におけるブロック数を表わす２以上の整数である、ｍ個のブロック束を生成する工程（Ｓ１１）と、
前記各ブロック束の変調シンボルを、前記ｎi個の区別可能なブロックからなる各ブロック束に関し、ｎi個の区別可能なレイヤの内の対応するレイヤ束があるように対応関係があり前記変調シンボルの送信のためにＭＩＭＯ動作のためにマッピング可能であるｍ個のレイヤ束（３７，３８）の内の対応するレイヤ束に割当てる工程（Ｓ１２）と、
前記変調シンボルを送信する工程（Ｓ１３）と、
前記各ブロック束に関し１つ以上のブロック構成設定パラメータの一つのセットだけをシグナリングする工程（Ｓ１４）とを有し、
前記通信ネットワークは高速ダウンリンクパケットアクセス（ＨＳＰＤＡ）のために構成されており、前記変調シンボルの区別可能なブロックはトランスポートブロックであることを特徴とする方法。
【請求項２】
前記シグナリングは高速共用制御チャネル（ＨＳ−ＳＣＣＨ）によりなされることを特徴とする請求項１に記載の方法。
【請求項３】
前記変調シンボルの受信器から、ブロック束毎を基本として受信状態を搬送するフィードバック情報を受信する工程をさらに有することを特徴とする請求項１又は２に記載の方法。
【請求項４】
前記対応するレイヤ束にブロック束の変調シンボルを割当てることは、前記区別可能なブロックの内の所与の１つに属する変調シンボルの全てが前記区別可能なレイヤの内の対応する１つに割当てられるようなものであることを特徴とする請求項１乃至３のいずれか１項に記載の方法。
【請求項５】
前記対応するレイヤ束にブロック束の変調シンボルを割当てることは、前記区別可能なブロックの内の所与の１つに属する変調シンボルが、レイヤシフト方式に従って前記区別可能なレイヤの複数に割当てられるようなものであることを特徴とする請求項１乃至３のいずれか１項に記載の方法。
【請求項６】
ｍは２に等しいことを特徴とする請求項１乃至５のいずれか１項に記載の方法。
【請求項７】
ｎiはｉの全ての値に対して２に等しいことを特徴とする請求項１乃至６のいずれか１項に記載の方法。
【請求項８】
多入力多出力（ＭＩＭＯ）動作が可能な通信ネットワークによる変調シンボルの受信を制御する方法であって、
ｍを２以上の整数とし、ｎiをｉ番目のブロック束におけるブロック数を表わす２以上の整数としたときに、変調シンボルをトランスポートするために、それぞれが変調シンボルのｎi個の区別可能なブロックから成るｍ個のブロック束（３５，３６）により、それぞれが変調シンボルの区別可能なｎi個の対応するブロックから成るｍ個のブロック束（４６，４７）に割当てられた変調シンボルを受信する工程（Ｓ２１）と、
前記ｍ個のブロック束各々に関しブロック構成設定パラメータの各１つのセットを受信する工程（Ｓ２２）と、
同じブロック束の各ブロックに関しブロック構成設定パラメータの各同じセットを用いて、各ブロック束の変調シンボルの前記ブロックを再構築する工程（Ｓ２３）と、
前記再構築されたブロックを復調のために受け渡す工程とを有し、
ｎi個の区別可能なブロックから成る各ブロック束に関し、ｎi個の区別可能なレイヤの内の対応するレイヤ束があるように対応関係があり、
前記通信ネットワークは高速ダウンリンクパケットアクセス（ＨＳＰＤＡ）のために構成されており、前記変調シンボルの区別可能なブロックはトランスポートブロックであることを特徴とする方法。
【請求項９】
ブロック束毎を基本として受信状態を搬送するフィードバック情報を、前記変調システムの送信者に送信する工程をさらに有することを特徴とする請求項８に記載の方法。
【請求項１０】
通信ネットワークのプログラム可能なネットワークエンティティにロードされ実行されるときに、請求項１乃至９のいずれか１項に記載の方法を実行するように構成されたコンピュータコード部を有することを特徴とするコンピュータプログラムの記憶媒体。
【請求項１１】
通信ネットワークのプログラム可能なネットワークエンティティにロードされ実行されるときに、請求項１乃至９のいずれか１項に記載の方法を実行するように構成されたコンピュータコード部を有することを特徴とするコンピュータプログラム。
【請求項１２】
多入力多出力（ＭＩＭＯ）動作が可能な通信ネットワークにおけるネットワークエンティティであって、
ｍは２以上の整数とし、ｎiはｉ番目のブロック束におけるブロック数を表わす２以上の整数であるとしたとき、それぞれが変調シンボルのｎi個の区別可能なブロックから成るｍ個のブロック束（３５，３６）を、前記ｍ個のブロック束各々は、各ブロック束の区別可能なブロック各々が１つ以上のブロック構成設定パラメータの一つのセットに従って構成されるように生成する生成器（３１）と、
前記ブロック束（３５，３６）各々の変調シンボルを、ｍ個のレイヤ束（３７，３８）の対応する１つに、ｎi個の区別可能なブロックからなる各ブロック束に関し、変調シンボルをトランスポートするｎi個の区別可能なレイヤの内の対応するレイヤ束があるように対応関係があり、前記レイヤがＭＩＭＯ動作に対してマッピング可能であるように割当てを行う割当て器（３２）と、
前記変調シンボルを送信する送信器（３３）と、
前記ブロック束各々に関しブロック構成設定パラメータの一つのセットだけをシグナリングするシグナリング発生器（３４）とを有し、
前記通信ネットワークは高速ダウンリンクパケットアクセス（ＨＳＰＤＡ）のために構成されており、前記変調シンボルの区別可能なブロックはトランスポートブロックであることを特徴とするネットワークエンティティ。
【請求項１３】
多入力多出力（ＭＩＭＯ）動作が可能な通信ネットワークにおけるネットワークエンティティであって、
ｍを２以上の整数とし、ｎiをｉ番目のブロック束におけるブロック数を表わす２以上の整数とし、ｎi個の区別可能なブロックからなる各ブロック束に関し、ｎi個の区別可能なレイヤの内の対応するレイヤ束があるように対応関係があるときに、変調シンボルをトランスポートするために、それぞれが変調シンボルのｎi個の区別可能なレイヤから成るｍ個のレイヤ束により、それぞれが対応する数ｎiの変調シンボルの区別可能なブロックからなるｍ個のブロック束に割当てられた変調シンボルを受信するシンボル受信器（４１）と、
前記ｍ個のブロック束各々に関しブロック構成設定パラメータの各１つのセットを受信するシグナリング受信器（４２）と、
同じブロック束の各ブロックに関しブロック構成設定パラメータの各同じセットを用いて、各ブロック束の変調シンボルの前記ブロックを再構築し、前記再構築されたブロックを復調のために受け渡すシンボルプロセッサ（４３）とを有し、
前記通信ネットワークは高速ダウンリンクパケットアクセス（ＨＳＰＤＡ）のために構成されており、前記変調シンボルの区別可能なブロックはトランスポートブロックであることを特徴とするネットワークエンティティ。
【国際調査報告】
2014507088.tif 000014
2014507088.tif 000015